(57)【要約】【課題】この発明は、制御室ユニット内に多数の制御機器を搭載することができる金属閉鎖型スイッチギヤを提供するものである。【解決手段】扉ヒンジ機構により開閉される制御室扉と、背面部に取り付けられる第１の制御機器と、背面板と、側面板とにより構成される制御室ユニットを有する金属閉鎖型スイッチギヤであって、前記第１の制御機器より前方に、前記扉ヒンジ機構とは制御室ユニットの左右の反対側の位置にパネルヒンジ機構が設けられ、前記パネルヒンジ機構に制御機器取り付けパネルが設けられ、前記制御機器取り付けパネルに第２の制御機器が取り付けられるものである。【選択図】図３
2018121485.tif 000002
【特許請求の範囲】
【請求項１】
扉ヒンジ機構により開閉される制御室扉と、背面部に取り付けられる第１の制御機器と、背面板と、側面板とにより構成される制御室ユニットを有する金属閉鎖型スイッチギヤであって、前記第１の制御機器より前方に、前記扉ヒンジ機構とは制御室ユニットの左右の反対側の位置にパネルヒンジ機構が設けられ、前記パネルヒンジ機構に制御機器取り付けパネルが設けられ、前記制御機器取り付けパネルに第２の制御機器が取り付けられることを特徴とする金属閉鎖型スイッチギヤ。
【請求項２】
前記パネルヒンジ機構は、前記背面板に前記背面板から制御室扉に向かって前記側面板と平行に配置されたパネル支持側面板に設けられたことを特徴とする請求項１に記載の金属閉鎖型スイッチギヤ。
【請求項３】
前記パネルヒンジ機構は、前記側面板に設けられたことを特徴とする請求項１に記載の金属閉鎖型スイッチギヤ。
【請求項４】
前記背面板に前記第１の制御機器を取り付ける第１の機器取り付け板を設け、前記制御機器取り付けパネルに前記第２の制御機器を取り付ける第２の機器取り付け板を設けたことを特徴とする請求項１から請求項３のいずれか１項に記載の金属閉鎖型スイッチギヤ。
【請求項５】
前記第１の制御機器は普段操作しない制御機器を配置し、第２の制御機器はよく操作する制御機器を配置したことを特徴とする請求項１から請求項４のいずれか１項に記載の金属閉鎖型スイッチギヤ。
【請求項６】
前記第１の制御機器は補助リレーであり、第２の制御機器は配線用遮断器、押しボタン及びスイッチであることを特徴とする請求項５に記載の金属閉鎖型スイッチギヤ。
【発明の詳細な説明】
【技術分野】
【０００１】
この発明は、例えば、制御室ユニットや遮断器室ユニットなどが配置された金属閉鎖型スイッチギヤに関し、特に制御室ユニットの構成に関するものである。
【背景技術】
【０００２】
金属閉鎖型スイッチギヤは、配電路を開閉したり、事故から保護するために遮断器や保護継電器などを実装した金属閉鎖箱体からなるものである。金属閉鎖型スイッチギヤは、例えば、上段遮断器室と下段遮断器室にそれぞれ遮断器を搭載しており、各扉はそれぞれハンドルによって開閉される。
【０００３】
また、上段制御室の扉と下段制御室の扉の内側にそれぞれに制御室ユニットがあり、扉開閉ボルトを取り外すことによって各制御室扉を開くことができる。
【０００４】
なお、特許文献１，２はヒンジ式器具パネルの位置が同一方向であるが故に扉開閉時に干渉しない若しくは干渉しても問題ない構造になっている。
【０００５】
図６は従来の金属閉鎖型スイッチギヤにおける制御室ユニット３の制御室扉３ａを少し開いた状態を示す断面図であり、機器取り付け板３ｆと制御室背面板３ｂにレール（図示せず）等を用いて制御機器３ｇが取り付けられるような構造になっている。制御室背面板３ｂにレールを介して取り付けることで組立時に容易に取り付けることができる。
【０００６】
そして、制御室側面板３ｃ，３ｄのいずれか一方側、例えば制御室側面板３ｃ側に設けた扉ヒンジ機構３ｅによって制御室扉３ａをＣ方向にさらに開くことにより、各制御室の制御室ユニット３内に収納されている制御機器３ｇを前面より操作、メンテナンス及び目視による確認を行うことができる。
【先行技術文献】
【特許文献】
【０００７】
【特許文献１】特開２０１０−２７３３９６号公報
【特許文献２】実開昭６３−１６７３０９号公報
【発明の概要】
【発明が解決しようとする課題】
【０００８】
上述した従来の金属閉鎖型スイッチギヤは、制御室が構造上において盤前面側からしかアクセスできない制約により、制御機器を盤奥行方向に複数取付けると手前側の制御機器が邪魔になり奥側の制御機器が操作、メンテンナンスできない状況となる。そのため制御機器を奥行方向に複数取付けることができず取り付けスペースが制限される。
【０００９】
今後、据付面積が小さい金属閉鎖型スイッチギヤの開発が必要になる状況下において、制御機器の占有スペースも少なくなることが大きな課題である。また、多数の配線によって作業者の作業効率も悪くなる可能性がある。
【００１０】
この発明は、上記のような課題を解決するためになされたものであり、その目的は、制御室ユニット内に多数の制御機器を搭載することができる金属閉鎖型スイッチギヤを提供するものである。
【課題を解決するための手段】
【００１１】
この発明に係わる金属閉鎖型スイッチギヤは、扉ヒンジ機構により開閉される制御室扉と、背面部に取り付けられる第１の制御機器と、背面板と、側面板とにより構成される制御室ユニットを有する金属閉鎖型スイッチギヤであって、前記第１の制御機器より前方に、前記扉ヒンジ機構とは制御室ユニットの左右の反対側の位置にパネルヒンジ機構が設けられ、前記パネルヒンジ機構に制御機器取り付けパネルが設けられ、前記制御機器取り付けパネルに第２の制御機器が取り付けられるものである。
【発明の効果】
【００１２】
この発明に係わる金属閉鎖型スイッチギヤによれば、制御室ユニット内に多数の制御機器を搭載することができる金属閉鎖型スイッチギヤを得ることができる。
【図面の簡単な説明】
【００１３】
【図１】この発明の実施の形態１に係わる金属閉鎖型スイッチギヤを示す斜視図である。
【図２】この発明の実施の形態１に係わる金属閉鎖型スイッチギヤにおける制御室ユニットの制御室扉と制御機器取り付けパネルの閉状態を示す断面図である。
【図３】この発明の実施の形態1に係わる金属閉鎖型スイッチギヤにおける制御室ユニットの制御室扉と制御機器取り付けパネルを少し開いた状態を示す断面図である。
【図４】この発明の実施の形態３に係わる金属閉鎖型スイッチギヤにおける制御室ユニットの制御室扉と制御機器取り付けパネルの閉状態を示す断面図である。
【図５】この発明の実施の形態３に係わる金属閉鎖型スイッチギヤにおける制御室ユニットの制御室扉と制御機器取り付けパネルを少し開いた状態を示す断面図である。
【図６】従来の金属閉鎖型スイッチギヤにおける制御室ユニットの制御室扉を少し開いた状態を示す断面図である。
【発明を実施するための形態】
【００１４】
実施の形態１．
以下、この発明の実施の形態１を図１〜図３に基づいて説明するが、各図において、同一、または相当部材、部位については同一符号を付して説明する。図１はこの発明の実施の形態１に係わる金属閉鎖型スイッチギヤを示す斜視図である。図２はこの発明の実施の形態１に係わる金属閉鎖型スイッチギヤにおける制御室ユニットの制御室扉と制御機器取り付けパネルの閉状態を示す断面図である。図３はこの発明の実施の形態1に係わる金属
閉鎖型スイッチギヤにおける制御室ユニットの制御室扉と制御機器取り付けパネルを少し開いた状態を示す断面図である。
【００１５】
図１は金属閉鎖型スイッチギヤを示し、例えば、上段遮断器室１ｄと下段遮断器室１ｆを備え、それぞれに遮断器を搭載しており、ハンドル１iによって開閉される。
【００１６】
また、金属閉鎖型スイッチギヤは、例えば、上段制御室１ｃと下段制御室１ｅを備え、それぞれの扉の内側に後述する制御室ユニット２があり、扉開閉ボルト１ｈによって後述する制御室扉２ａが開閉される。
【００１７】
そして、金属閉鎖型スイッチギヤの背面部１ａ、天井面部１ｂ、床面部1ｇ及び側面部
１ｊは金属板によって構成されている。上段制御室１ｃと下段制御室１ｅの扉の内側には後述する制御室ユニット２の第１の制御機器２ｇと第２の制御機器２ｎが配置されている。第１の制御機器２ｇと第２の制御機器２ｎは客先の仕様によって型名及び個数が決定する。
【００１８】
次に、この実施の形態１に係る制御室ユニット２について図２を参照して説明する。制御室ユニット２は、制御室扉２ａと、背面板２ｂと、側面板２ｃと、側面板２ｄとにより
枠体を構成し、側面板２ｃか側面板２ｄのいずれか一方側、例えば側面板２ｃ側に扉ヒンジ機構２ｅを設けて制御室扉２ａを開閉する。これらの構成部品は金属材よりなっている。
【００１９】
そして、背面板２ｂに第１の機器取り付け板２ｆを設け、第１の機器取り付け板２ｆに第１の制御機器２ｇを搭載する。第１の機器取り付け板２ｆと背面板２ｂにレール等（図示せず）を用いて第１の制御機器２ｇを組立時に容易に取り付けることができる構造になっている。
【００２０】
背面板２ｂにその背面板２ｂから制御室扉２ａに向かって側面板２ｃおよび側面板２ｄと平行に配置されたパネル支持側面板２ｈ，２ｉを設け、扉ヒンジ機構２ｅと左右対称位置となる例えばパネル支持側面板２ｉにパネルヒンジ機構２ｊを設け、パネルヒンジ機構２ｊに制御機器取り付けパネル２ｋを設け、パネルヒンジ機構２ｊに第２の機器取り付け板２ｍを設け、第２の機器取り付け板２ｍに第２の制御機器２ｎを搭載する。第２の機器取り付け板２ｍと制御機器取り付けパネル２ｋにレール等（図示せず）を用いて第２の制御機器２ｎを組立時に容易に取り付けることができる構造になっている。
【００２１】
パネル支持側面板２ｈ，２ｉとパネルヒンジ機構２ｊと制御機器取り付けパネル２ｋは金属材よりなっている。そして、パネル支持側面板２ｈ，２ｉ、パネルヒンジ機構２ｊ、制御機器取り付けパネル２ｋ、および第２の制御機器２ｎは、制御室扉２ａと、背面板２ｂと、側面板２ｃと、側面板２ｄとにより構成された枠体内に収容されている。
【００２２】
扉ヒンジ機構２ｅとパネルヒンジ機構２ｊを左右対称に設置しているので、制御室扉２ａと制御機器取り付けパネル２ｋが互いに干渉しない位置を保っているため、制御機器取り付けパネル２ｋの開閉角度が制限されない。
【００２３】
制御室扉２ａと制御機器取り付けパネル２ｋの開閉操作について説明する。図２は制御室扉２ａおよび制御機器取り付けパネル２ｋが閉じている状態であり、第１の制御機器２ｇおよび第２の制御機器２ｎを前面より操作、メンテナンス及び目視による確認を行うには制御室扉２ａあるいは制御機器取り付けパネル２ｋを開く必要がある。
【００２４】
まず、前面側に配置された第２の制御機器２ｎを操作、メンテナンス及び目視による確認を行う場合は、制御室扉２ａを扉ヒンジ機構２ｅによってＡ方向に開き、第２の制御機器２ｎを前面より操作、メンテナンス及び目視による確認を行う。次に、後面側に配置された第１の制御機器２ｇを操作、メンテナンス及び目視による確認を行う場合は、制御室扉２ａを扉ヒンジ機構２ｅによってＡ方向に開き、さらに、制御機器取り付けパネル２ｋをパネルヒンジ機構２ｊによってＡ方向とは逆方向のＢ方向に開き、第１の制御機器２ｇを前面より操作、メンテナンス及び目視による確認を行う。
【００２５】
このように、扉ヒンジ機構２ｅとパネルヒンジ機構２ｊを左右対称に設置しているので、制御室扉２ａと制御機器取り付けパネル２ｋが互いに干渉することはなく、作業者が前面より作業するのに十分なスペースが確保できるため、メンテナンス性が向上する。
【００２６】
また、金属閉鎖型スイッチギヤの制御室ユニット２内のスペースを有効活用することにより、より多くの制御機器を取り付けることが可能になる。したがって、省スペースな金属閉鎖型スイッチギヤを採用する際、この発明の実施の形態１を採用することにより、制御機器占有スペースが削減され、客先要求に対して無駄な制御盤を設ける必要性も無く、コストインパクトが最少で変更シーケンスに対応することが可能になる。
【００２７】
また、制御器具選定も工場標準で採用している機器を選定することができ、金属閉鎖型
スイッチギヤの設計の大幅な時間削減にも繋がる。今後、顧客の要望に対する柔軟性を持たせられる為、この発明の実施の形態１は非常に有利な技術となる。
【００２８】
制御機器取り付けパネル２ｋを制御室扉２ａの扉ヒンジ機構２ｅと左右対称に配置したパネルヒンジ機構２ｊによって制御室扉２ａとは左右反対側に開閉可能としているので、盤奥行方向に制御機器を複数段取り付けても、制御機器取り付けパネル２ｋを開くことにより、制御機器取り付けパネル２ｋの奥側に収納されている第１の制御機器２ｇを前面より操作、メンテナンス及び目視による確認を行うことができる。
【００２９】
実施の形態２．
上述した実施の形態１においては、第１の制御機器２ｇと第２の制御機器２ｎの配置構成については特定してなかったが、この実施の形態２においては、第１の制御機器２ｇとして、普段、試験若しくはメンテナンス時に操作しない補助リレー等を配置し、第２の制御機器２ｎとして、制御回路の開閉をする配線用遮断器、押しボタン及びスイッチ等の普段操作を行う必要が有る機器を配置したものである。
【００３０】
このような配置構成とすることにより、上述した実施形態１の効果に加えて、普段操作しない制御機器を後面側の第１の制御機器２ｇとして配置し、よく操作する制御機器を前面側の第２の制御機器２ｎとして配置することにより、さらにメンテナンス性が向上する。
【００３１】
実施の形態３．
この発明の実施の形態３を図４、図５に基づいて説明するが、各図において、同一、または相当部材、部位については同一符号を付して説明する。図４はこの発明の実施の形態３に係わる金属閉鎖型スイッチギヤにおける制御室ユニットの制御室扉と制御機器取り付けパネルの閉状態を示す断面図である。図５はこの発明の実施の形態３に係わる金属閉鎖型スイッチギヤにおける制御室ユニットの制御室扉と制御機器取り付けパネルを少し開いた状態を示す断面図である。
【００３２】
上述した実施の形態１においては、パネルヒンジ機構２ｊをパネル支持側面板２ｉに設けたが、この実施の形態３においては，図５、図６に示すように、パネルヒンジ機構２ｊを例えば側面板２ｄに設けるようにし、制御機器取り付けパネル２ｋを閉じた時には留め具２ｐで受けるようにしたものである。
【００３３】
これにより、パネル支持側面板２ｉを不要にすることが可能である。また、制御機器取り付けパネル２ｋを制御室ユニット２の幅いっぱいまで大きく出来るので、第２の制御機器２ｎを多く取り付けることが可能である。
【００３４】
なお、この発明は、その発明の範囲内において、各実施の形態を自由に組み合わせたり、各実施の形態を適宜、変形、省略することが可能である。
【産業上の利用可能性】
【００３５】
この発明は、制御室ユニット内に多数の制御機器を搭載することができる金属閉鎖型スイッチギヤの実現に好適である。
【符号の説明】
【００３６】
２  制御室ユニット、２ａ  制御室扉、２ｂ  背面板、２ｃ  側面板、２ｄ  側面板、２ｅ  扉ヒンジ機構、２ｆ  第１の機器取り付け板、２ｇ  第１の制御機器、２ｈ  パネル支持側面板、２ｉ  パネル支持側面板、２ｊ  パネルヒンジ機構、２ｋ  制御機器取り付けパネル、２ｍ  第２の機器取り付け板、２ｎ  第２の制御機器、２ｐ  留め具
【図１】
2018121485.tif 000003
【図２】
2018121485.tif 000004
【図３】
2018121485.tif 000005
【図４】
2018121485.tif 000006
【図５】
2018121485.tif 000007
【図６】
2018121485.tif 000008